(57)【特許請求の範囲】
【請求項１】
トッププレートと、前記トッププレートの下方に設けられた第１加熱コイル及び第２加熱コイルを含む複数の加熱コイルと、第１スイッチング素子を含み前記第１加熱コイルに高周波電流を供給する第１インバータと、前記第２加熱コイルに高周波電流を供給する第２インバータと、前記第１インバータの入力電流及び前記第２インバータの入力電流が重畳している電流経路に流れる電源電流を検知する電源電流検知回路と、前記第１加熱コイルのみ加熱動作しているとき前記電源電流が第１出力設定値になるように前記第１スイッチング素子のオン・オフを制御する第１制御部と、前記第２加熱コイルのみ加熱動作しているとき前記電源電流が第２出力設定値となるように制御する第２制御部とを備え、前記第２加熱コイルが前記第２出力設定値で加熱しているとき、前記第１加熱コイルが加熱動作を開始すると、前記第１制御部は、前記第１加熱コイルが停止しているときに対する前記電源電流の増加量が前記第１出力設定値に対応する値となるように前記第１スイッチング素子の駆動時間を制御すると共に、前記第１加熱コイル及び前記第２加熱コイルが共に動作しているとき、前記電源電流が所定値以上低下すると、前記第１スイッチング素子の駆動時間を単独で所定時間変化させ、そのときの前記電源電流の大きさの変化量が判定用の第１所定値以下となると前記第１加熱コイルの加熱動作を停止し、前記電源電流の大きさの変化量が前記第１所定値より大きい時は、前記第１加熱コイルの加熱動作を継続し、さらに前記第２制御部は前記第２スイッチング素子の駆動時間を単独で所定時間変化させ、そのときの前記電源電流の大きさの変化量が判定用の第２所定値以下となると、前記第２制御部は、前記第２加熱コイルの加熱動作を停止し、前記電源電流の大きさの変化量が前記第２所定値より大きいときは、前記第２加熱コイルの加熱動作を継続する誘導加熱調理器。
【請求項２】
交流電源を直流に変換する整流回路のあとに前記電源電流検知回路を備えるとした請求項１に記載の誘導加熱調理器。
【請求項３】
前記制御部は、交流電源電圧値に応じて判定用の所定値を切り換えるとした請求項１または２に記載の誘導加熱調理器。
【請求項４】
温度センサからの信号により被加熱物の温度を検知する温度検知手段を備え、前記制御部は、温度に応じて判定用の所定値を切り換えるとした請求項１〜３のいずれか１項に記載の誘導加熱調理器。
【請求項５】
設定火力の変更を行うように前記制御部に信号を出力する操作部を備え、前記制御部は、設定火力の組み合わせに応じて判定用の所定値を切り換えるとした請求項１〜４のいずれか１項に記載の誘導加熱調理器。
【請求項６】
前記操作部にて設定火力の変更が行われた場合、変更有側のインバータを一旦停止させ、変更無側のインバータの出力電力を出力設定値にしたあと、変更有側のインバータの出力電力を出力設定値にするとした請求項５に記載の誘導加熱調理器。
【請求項７】
請求項１から６のいずれかに記載の誘導加熱調理器の少なくとも１つをコンピュータに実行させるためのプログラム。
【発明の詳細な説明】
【技術分野】
【０００１】
本発明は多口を有する誘導加熱調理器に関するものである。
【背景技術】
【０００２】
従来、この種の誘導加熱調理器は、トッププレートの下方の誘導加熱のための加熱コイルに数十キロヘルツの高周波電流を流し、トッププレート上に積置された調理容器に渦電流損を発生させることによって加熱している。
【０００３】
図４は、従来の誘導加熱調理器のブロック図を示すものである。
【０００４】
図４に示すように、交流電源を直流に変換する整流回路１０７（１０７ａ、１０７ｂ）と、前記整流回路１０７に接続されて高周波電流に変換するインバータ１０３（１０３ａ、１０３ｂ）と、高周波電流により高周波磁界を発生させ被加熱物１０８（１０８ａ、１０８ｂ）を加熱する加熱コイル１０２（１０２ａ、１０２ｂ）と、インバータ１０３の電源入力電流を検知する電源入力電流検知回路１０４（１０４ａ、１０４ｂ）と、前記インバータ１０３の動作周波数を制御する制御手段１０５（１０５ａ、１０５ｂ）により構成されていて、その構成は個々のインバータ毎に存在し、各インバータの加熱を制御する。そして入力電流や加熱コイル電流や加熱コイル電圧を監視しながら被加熱物に最適な加熱火力を行う。
【０００５】
なお、小型化を目的に多口に対し整流回路を共通化し、インバータの入力電流を検出する電源電流検出回路を各々のインバータに備えたものがあり、整流回路及びチョークコイルを共通化する方法などが提案されている（例えば、特許文献１、２参照）。
【先行技術文献】
【特許文献】
【０００６】
【特許文献１】特開２００４−１６５１２７号公報
【特許文献２】特開２００８−２１０７４３号公報
【発明の概要】
【発明が解決しようとする課題】
【０００７】
しかしながら、前記従来の構成では、多口数が増えれば増えるほど、整流回路またはチョークコイル、または、電源電流検出回路といった部分も同様に増えることとなり、大型化してしまうという課題を有していた。
【０００８】
本発明は、前記従来の課題を解決するもので、多口に対し整流回路や電源入力検知回路を共用してコストダウン及び小型化を行い、かつ、個々のインバータの制御を行うことができる誘導加熱調理器を提供することを目的とする。
【課題を解決するための手段】
【０００９】
前記従来の課題を解決するために、本発明の誘導加熱調理器は、トッププレートと、前記トッププレートの下方に設けられた第１加熱コイル及び第２加熱コイルを含む複数の加熱コイルと、第１スイッチング素子を含み前記第１加熱コイルに高周波電流を供給する第１インバータと、前記第２加熱コイルに高周波電流を供給する第２インバータと、前記第１インバータの入力電流及び前記第２インバータの入力電流が重畳している電流経路に流れる電源電流を検知する電源電流検知回路と、前記第１加熱コイルのみ加熱動作しているとき前記電源電流が第１出力設定値になるように前記第１スイッチング素子のオン・オフ
を制御する第１制御部と、前記第２加熱コイルのみ加熱動作しているとき前記電源電流が第２出力設定値となるように制御する第２制御部とを備え、前記第２加熱コイルが前記第２出力設定値で加熱しているとき、前記第１加熱コイルが加熱動作を開始すると、前記第１制御部は、前記第１加熱コイルが停止しているときに対する前記電源電流の増加量が前記第１出力設定値に対応する値となるように前記第１スイッチング素子の駆動時間を制御すると共に、前記第１加熱コイル及び前記第２加熱コイルが共に動作しているとき、前記電源電流が所定値以上低下すると、前記第１スイッチング素子の駆動時間を単独で所定時間変化させ、そのときの前記電源電流の大きさの変化量が判定用の第１所定値以下となると前記第１加熱コイルの加熱動作を停止し、前記電源電流の大きさの変化量が前記第１所定値より大きい時は、前記第１加熱コイルの加熱動作を継続し、さらに前記第２制御部は前記第２スイッチング素子の駆動時間を単独で所定時間変化させ、そのときの前記電源電流の大きさの変化量が判定用の第２所定値以下となると、前記第２制御部は、前記第２加熱コイルの加熱動作を停止し、前記電源電流の大きさの変化量が前記第２所定値より大きいときは、前記第２加熱コイルの加熱動作を継続するとしたものである。
【００１０】
これによって、複数のインバータを加熱制御する場合において、複数の加熱コイルそれぞれに対応した第１あるいは第２の制御部は、それぞれの加熱コイルの加熱動作による電源電流の増加量がそれぞれの出力設定値に対応する値となるように制御すると共に、第１加熱コイル及び第２加熱コイルが共に動作しているとき、電源電流が所定値以上低下すると、第１あるいは第２インバータのスイッチング素子の駆動時間を単独で所定時間変化させて、そのときの電源電流の大きさの変化量から加熱コイルの加熱動作の停止あるいは継続をすることにより、インバータ毎に電源電流検知回路を用いず、共通の電源電流検知回路にて加熱制御が可能となる。
【発明の効果】
【００１１】
本発明の誘導加熱調理器は、回路構成が簡略化され部品点数の削減によるコストダウン及び小型化することができる。
【図面の簡単な説明】
【００１２】
【図１】本発明の実施の形態１における誘導加熱調理器のブロック図
【図２】本発明の実施の形態１における誘導加熱調理器の複数の加熱コイルの加熱動作と入力電流の変化を示す図
【図３】本発明の実施の形態１における誘導加熱調理器のフローチャート
【図４】従来の誘導加熱調理器のブロック図
【発明を実施するための形態】
【００１３】
第１の発明はトッププレートと、前記トッププレートの下方に設けられた第１加熱コイル及び第２加熱コイルを含む複数の加熱コイルと、第１スイッチング素子を含み前記第１加熱コイルに高周波電流を供給する第１インバータと、前記第２加熱コイルに高周波電流を供給する第２インバータと、前記第１インバータの入力電流及び前記第２インバータの入力電流が重畳している電流経路に流れる電源電流を検知する電源電流検知回路と、前記第１加熱コイルのみ加熱動作しているとき前記電源電流が第１出力設定値になるように前記第１スイッチング素子のオン・オフを制御する第１制御部と、前記第２加熱コイルのみ加熱動作しているとき前記電源電流が第２出力設定値となるように制御する第２制御部とを備え、前記第２加熱コイルが前記第２出力設定値で加熱しているとき、前記第１加熱コイルが加熱動作を開始すると、前記第１制御部は、前記第１加熱コイルが停止しているときに対する前記電源電流の増加量が前記第１出力設定値に対応する値となるように前記第１スイッチング素子の駆動時間を制御すると共に、前記第１加熱コイル及び前記第２加熱コイルが共に動作しているとき、前記電源電流が所定値以上低下すると、前記第１スイッチング素子の駆動時間を単独で所定時間変化させ、そのときの前記電源電流の大きさの変
化量が判定用の第１所定値以下となると前記第１加熱コイルの加熱動作を停止し、前記電源電流の大きさの変化量が前記第１所定値より大きい時は、前記第１加熱コイルの加熱動作を継続し、さらに前記第２制御部は前記第２スイッチング素子の駆動時間を単独で所定時間変化させ、そのときの前記電源電流の大きさの変化量が判定用の第２所定値以下となると、前記第２制御部は、前記第２加熱コイルの加熱動作を停止し、前記電源電流の大きさの変化量が前記第２所定値より大きいときは、前記第２加熱コイルの加熱動作を継続するとすることにより、前記第１インバータの入力電流及び前記第２インバータの入力電流が重畳している電流経路に流れる電源電流を検知する電源電流検知回路で前記第１加熱コイルと第２加熱コイルの加熱出力を設定できるので検知回路構成が簡略化され部品点数の削減によるコストダウン及び小型化ができる。また、前記第１加熱コイル及び前記第２加熱コイルが共に動作しているとき、電源電流が所定値以上低下することを検知することにより、いずれかの加熱コイルの被加熱物が加熱コイルからずれたことを検知することができる。そして、前記第１制御部及び前記第２制御部は、第１スイッチング素子及び第２スイッチング素子の駆動時間をそれぞれ単独で所定時間変化させたときの、電源電流の変化量が所定値以下となることを検知することにより、前記第１加熱コイルから被加熱物がずれたか、前記第２加熱コイルから被加熱物がずれたかを判別することができる。すなわち、被加熱物が加熱している前記第１加熱コイルからずれると、第１加熱コイルと被加熱物の磁気結合が小さくなるので、前記第１制御部が前記第１スイッチング素子の駆動時間をそれぞれ単独で所定時間変化させたときの、電源電流の大きさの変化量は所定値以下となる。被加熱物が加熱している第２加熱コイルからずれた場合も同様である。
【００１４】
第２の発明は、特に、第１の発明において、交流電源を直流に変換する整流回路のあとに前記電源電流検知回路を備えるとしたことにより、インバータ毎に整流回路を用いず、共通の整流回路及び共通の電源電流検知回路を用いての制御が可能となり、さらなる部品点数の削減によるコストダウン及び小型化することができる。
【００１５】
第３の発明は、特に、第１または第２の発明の制御部は、交流電源電圧値に応じて判定用の所定値を切り換えるとしたことにより、電源電圧の違いによる電源電流の大きさの変化量の違いを補正できるので，被加熱物のずれに対する検知精度が向上し、不要な加熱停止が軽減されることとなり、使用者の使い勝手を向上することができる。
【００１６】
第４の発明は、特に、第１〜３のいずれか１つの発明において、温度センサからの信号により、被加熱物の温度を検知する温度検知手段を備え、前記制御部は、温度に応じて判定用の所定値を切り換えるとしたことにより、被加熱物の温度特性による電源電流の大きさの変化量への影響を緩和できるので被加熱物のずれに対する検知精度が向上し、不要な加熱停止が軽減されて使用者の使い勝手を向上することができる。
【００１７】
第５の発明は、特に、第１〜４のいずれか１つの発明において、設定火力の変更を行うように前記制御部に信号を出力する操作部を備え、前記制御部は、設定火力の組み合わせに応じて判定用の所定値を切り換えるとしたことにより、火力設定による電源電流の大きさの変化量への影響を緩和できるので被加熱物のずれに対する検知精度が向上し、不要な加熱停止が軽減されることとなり使用者の使い勝手を向上することができる。
【００１８】
第６の発明は、特に、第５の発明において、前記操作部にて設定火力の変更が行われた場合、変更有側のインバータを一旦停止させ、変更無側のインバータの出力電力を出力設定値にしたあと、変更有側のインバータの出力電力を出力設定値にするとしたことにより、電源電流の分配が正しい状態でなされ、インバータ毎の出力設定に対するずれがなくなり、設定火力通りの調理が行えるとなり安全性を向上することができる。
【００１９】
第７の発明は、特に、第１〜６のいずれか１つの発明の誘導加熱調理器の少なくとも１
つをコンピュータに実行させるためのプログラムを提供するものである。プログラムであるので、電気・情報機器、コンピュータ、サーバ等のハードリソースを協働させて本発明の誘導加熱調理器の少なくとも一部を容易に実現することができる。また記録媒体に記録したり通信回線を用いてプログラムを配信したりすることでプログラムの配布・更新やそのインストール作業が簡単にできる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における誘導加熱調理器のブロック図、図２は、本発明の第１の実施の形態における誘導加熱調理器の複数の加熱コイルの加熱動作と入力電流の変化を示す図である。
【００２２】
図１において、トッププレート１と、前記トッププレート１の下方に設けられた第１加熱コイル２ａ及び第２加熱コイル２ｂを含む複数の加熱コイルと、第１スイッチング素子を含み前記第１加熱コイル２ａに高周波電流を供給する第１インバータ３ａと、前記第２加熱コイル２ｂに高周波電流を供給する第２インバータ３ｂと、前記第１インバータ３ａの入力電流及び前記第２インバータ３ｂの入力電流が重畳している電流経路に流れる電源電流を検知する電源電流検知回路４と、前記第１加熱コイル２ａのみ加熱動作しているとき前記電源電流が第１出力設定値になるように前記第１スイッチング素子のオン・オフを制御する第１制御部５ａと、前記第２加熱コイル２ｂのみ加熱動作しているとき前記電源電流が第２出力設定値となるように制御する第２制御部５ｂとを構成している。
【００２３】
また、第１制御部５ａおよび第２制御部５ｂは、図２において、第２加熱コイルが第２出力設定値（Ｉ１）で加熱しているとき、第１加熱コイルが加熱動作を開始（Ｔ１）すると、第１制御部は、第１加熱コイルが停止しているときに対する電源電流の増加量が第１出力設定値に対応する値となるように第１スイッチング素子の駆動時間を制御する。これによって、第１加熱コイルおよび第２加熱コイルの加熱出力を設定することができる。
【００２４】
以上のように構成された誘導加熱調理器について、以下その動作、作用を用いて説明する。
【００２５】
図３は、本発明の第１の実施の形態における誘導加熱調理器のフローチャートを示すものである。
【００２６】
図３において、調理選択や加熱切／入りの操作を行う操作手段（図示せず）にて、第１加熱コイル２ａ側の調理を選択し、加熱キーを押下すると信号が第１制御部５ａに伝わり、第１加熱コイル２ａの加熱を開始する（ステップＳ１）。
【００２７】
第１制御部５ａは、電源電流検知回路４の電源電流値が出力設定値に到達するまで駆動時間を増加させる（ステップＳ２）。
【００２８】
第１加熱コイル２ａの出力が出力設定値に到達したのち、第２加熱コイル２ｂ側の調理を選択し、加熱キーを押下すると信号が第２制御部５ｂに伝わり、第２加熱コイル２ｂの加熱を開始する（ステップＳ３）。
【００２９】
第２制御部５ｂは電源電流検知回路４の電源電流値が出力設定値に到達するまでスイッチング素子の駆動時間を増加させる（ステップＳ４）。仮に第１加熱コイル２ａ側の調理と第２加熱コイル２ｂ側の調理とが同時に加熱開始指示を受けた場合でも早く加熱開始命
令を受けた側の加熱コイル側を先に出力設定値に到達させ、他方の加熱コイル側を次に出力設定値に到達させるという風に順番に出力設定を行っていくこととする。
【００３０】
さらに、最初から被加熱物の位置がずれていて電源電流値が出力設定値に到達しない場合があるが、このときは出力設定値に到達したかどうかの到達判定時に、制御できない（被加熱物がないと判断してしまう）かどうかを電源電流値で判断し、制御できないならば、加熱を停止させる。
【００３１】
例えば、第１加熱コイル２ａ側が制御できないのであれば第１加熱コイル２ａ側の調理を停止し、第２加熱コイル２ｂ側が制御できないのであれば第２加熱コイル２ｂ側の調理を停止する。
【００３２】
そして、制御できるのであれば、スイッチング素子の駆動時間や加熱コイルの電流や加熱コイルの電圧などにより出力制限を行えるようにしておき、出力制限を行っている状態を検知したときにステップＳ２やステップＳ４を通過させる。
【００３３】
次に、第１加熱コイル２ａと第２加熱コイル２ｂともに加熱している状態において、第１加熱コイル２ａ上の被加熱物８ａの状態を知るために、第１スイッチング素子の駆動時間を単独で所定時間変化させて（ステップＳ５）、そのときの電源電流の大きさの変化量を取得する（ステップＳ６）。
【００３４】
その電源電流の大きさの変化量が判定用の第１所定値以下かどうかを判断し（ステップＳ７）、以下の場合には制御できないと判断し、第１加熱コイル２ａの加熱調理を停止する（ステップＳ８）。
【００３５】
電源電流の大きさの変化量が第１所定値より大きい場合には、第１加熱コイル２ａは制御できると判断し、今度は第２加熱コイル２ｂ上の被加熱物８ｂの状態を知るために第２スイッチング素子の駆動時間を単独で所定時間変化させて（ステップＳ９）、そのときの電源電流の大きさの変化量を取得する（ステップＳ１０）。
【００３６】
その電源電流の大きさの変化量が判定用の第２所定値以下かどうかを判断し（ステップＳ１１）、以下の場合には制御できないと判断し、第２加熱コイル２ｂの加熱調理を停止する（ステップＳ１２）。
【００３７】
電源電流の大きさの変化量が第２所定値より大きい場合には、第２加熱コイル２ｂは制御できると判断し、ステップＳ５を行える状態となる。
【００３８】
ステップＳ８で第１加熱コイル２ａ停止を行ったあと、第１加熱コイル２ａが加熱可能（制御できる状態）かどうかを確認し（ステップＳ１３）、加熱可能であれば、第１加熱コイル２ａの加熱を開始する（ステップＳ１４）。
【００３９】
第１制御部５ａは、電源電流検知回路４の電源電流値が出力設定値に到達するまでスイッチング素子の駆動時間を増加させる（ステップＳ１５）。第１加熱コイル２ａの出力が出力設定値に到達したのち、ステップＳ５を行える状態となる。
【００４０】
ステップＳ１２で第２加熱コイル２ｂ停止を行ったあと、第２加熱コイル２ｂが加熱可能（制御できる状態）かどうかを確認し（ステップＳ１６）、加熱可能であれば、第２加熱コイル２ｂの加熱を開始する（ステップＳ１７）。
【００４１】
第２制御部５ｂは、電源電流検知回路４の電源電流値が出力設定値に到達するまで駆動
時間を増加させる（ステップＳ１８）。第２加熱コイル２ａの出力が出力設定値に到達したのち、ステップＳ５を行える状態となる。
【００４２】
なお、電源電流の大きさの変化量での判定において、ステップＳ５の直前に電源電流値が、第１出力設定値＋第２出力設定値に対し、所定値以下のときに判定を行うというステップを追加することにより、加熱可能（制御できる状態）かどうかの確認のためにスイッチング素子の駆動時間を単独で所定時間変化させる動作を、不要な頻度で頻繁に行なうのを防止し、かつ、使用者の被加熱物の位置微調整や振動等による影響を取り除くことができる。
【００４３】
なお、電源電流の大きさの変化量での判定において、第１インバータ３ａの出力設定値到達時に第１スイッチング素子の駆動時間を単独で所定時間変化させたときの電源電流の大きさの変化量を取得し、次に第２インバータ３ｂの出力設定値到達時に第２スイッチング素子の駆動時間を単独で所定時間変化させたときの電源電流の大きさの変化量を取得しておき、そのときの変化量と現在の第１及び第２の電源電流の大きさの変化量との差により加熱動作の継続または停止を判定することもできる。
【００４４】
以上のように、本実施の形態においてはトッププレート１と、前記トッププレート１の下方に設けられた第１加熱コイル２ａ及び第２加熱コイル２ｂを含む複数の加熱コイルと、第１スイッチング素子を含み前記第１加熱コイル２ａに高周波電流を供給する第１インバータ３ａと、前記第２加熱コイル２ｂに高周波電流を供給する第２インバータ３ｂと、前記第１インバータ３ａの入力電流及び前記第２インバータ３ｂの入力電流が重畳している電流経路に流れる電源電流を検知する電源電流検知回路４と、前記第１加熱コイル２ａのみ加熱動作しているとき前記電源電流が第１出力設定値になるように前記第１スイッチング素子のオン・オフを制御する第１制御部５ａと、前記第２加熱コイル２ｂのみ加熱動作しているとき前記電源電流が第２出力設定値となるように制御する第２制御部５ｂとを備え、前記第２加熱コイル２ｂが前記第２出力設定値で加熱しているとき、前記第１加熱コイル２ａが加熱動作を開始すると、前記第１制御部５ｂは、前記第１加熱コイル２ａが停止しているときに対する前記電源電流の増加量が前記第１出力設定値に対応する値となるように前記第１スイッチング素子の駆動時間を制御すると共に、前記第１加熱コイル２ａ及び前記第２加熱コイル２ｂが共に動作しているとき、前記電源電流が所定値以上低下すると、前記第１スイッチング素子の駆動時間を単独で所定時間変化させ、そのときの前記電源電流の大きさの変化量が第１所定値以下となると前記第１加熱コイル２ａの加熱動作を停止し、前記電源電流の大きさの変化量が前記第１所定値より大きい時は、前記第１所定値より大きいときは、前記第１加熱コイル２ａの加熱動作を継続し、さらに前記第２スイッチング素子の駆動時間を単独で所定時間変化させ、そのときの前記電源電流の大きさの変化量が第２所定値以下となると、前記第２制御部５ｂは、前記第２加熱コイル２ｂの加熱動作を停止し、前記電源電流の大きさの変化量が前記第２所定値より大きいときは、前記第２加熱コイル２ｂの加熱動作を継続するとすることにより、前記第１インバータ３ａの入力電流及び前記第２インバータ３ｂの入力電流が重畳している電流経路に流れる電源電流を検知する電源電流検知回路４で前記第１加熱コイル２ａと第２加熱コイル２ｂの加熱出力を設定できるので検知回路構成が簡略化され部品点数の削減によるコストダウン及び小型化ができる。
【００４５】
前記第１加熱コイル２ａ及び前記第２加熱コイル２ｂが共に動作しているとき、電源電流が所定値以上低下することを検知することにより、いずれかの加熱コイルの被加熱物が加熱コイルからずれたことを検知することができる。
【００４６】
そして、前記第１制御部５ａ及び前記第２制御部５ｂは、第１スイッチング素子及び第２スイッチング素子の駆動時間をそれぞれ単独で所定時間変化させたときの、電源電流の
変化量が所定値以下となることを検知することにより、前記第１加熱コイル２ａから被加熱物８ａがずれたか、前記第２加熱コイル２ｂから被加熱物８ｂがずれたかを判別することができる。
【００４７】
すなわち、被加熱物８ａが加熱している前記第１加熱コイル２ａからずれると、第１加熱コイル２ａと被加熱物８ａの磁気結合が小さくなるので、前記第１制御部５ａが前記第１スイッチング素子の駆動時間をそれぞれ単独で所定時間変化させたときの、電源電流の大きさの変化量は所定値以下となるのである。被加熱物８ｂが加熱している第２加熱コイル２ｂからずれた場合も同様である。
【００４８】
また、本実施の形態においては、交流電源を直流に変換する整流回路のあとに前記電源電流検知回路４を備えるとしたことにより、インバータ毎に整流回路を用いず、共通の整流回路及び共通の電源電流検知回路を用いての制御が可能となりさらなる部品点数の削減によるコストダウン及び小型化することができる。
【００４９】
また、本実施の形態においては、前記制御部は、交流電源電圧値に応じて判定用の所定値を切り換えるとしたことにより、電源電圧の違いによる電源電流の大きさの変化量の違いを補正できるので被加熱物のずれに対する検知精度が向上し不要な加熱停止が軽減されることとなり使用者の使い勝手が向上することができる。
【００５０】
また、本実施の形態においては、温度センサからの信号により被加熱物の温度を検知する温度検知手段（図示せず）とを備え、前記制御部は、温度に応じて判定用の所定値を切り換えるとしたことにより、被加熱物の温度特性による電源電流の大きさの変化量への影響を緩和できるので被加熱物のずれに対する検知精度が向上し、不要な加熱停止が軽減されるとなり使用者の使い勝手を向上することができる。
【００５１】
また、本実施の形態においては、設定火力の変更を行うように前記制御部に信号を出力する操作部と、を備え、前記制御部は、設定火力の組み合わせに応じて判定用の所定値を切り換えるとしたことにより、火力設定による電源電流の大きさの変化量への影響を緩和できるので被加熱物のずれに対する検知精度が向上し不要な加熱停止が軽減されることとなり使用者の使い勝手を向上することができる。
【００５２】
また、本実施の形態においては、前記操作部にて設定火力の変更が行われた場合、変更有側のインバータを一旦停止させ、変更無側のインバータの出力電力を出力設定値にしたあと、変更有側のインバータの出力電力を出力設定値にするとしたことにより、電源電流の分配が正しい状態でなされインバータ毎の出力設定に対するずれがなくなり、設定火力通りの調理が行えるとなり安全性を向上することができる。
【００５３】
なお、本実施の形態では、「スイッチング素子の駆動時間を単独で所定時間変化させる」の記載箇所で所定時間変化させる対象を駆動周期にて動作を説明してきたが、駆動オン時間を変化させても駆動オフ時間を変化させてもよい。
【００５４】
なお、本実施の形態で説明した手段は、ＣＰＵ（またはマイクロコンピュータ）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００５５】
以上のように、本発明にかかる誘導加熱調理器は、第１インバータの入力電流及び第２インバータの入力電流が重畳している電流経路に流れる電源電流を検知する電源電流検知回路で、第１加熱コイルと第２加熱コイルの加熱出力を設定でき、検知回路構成が簡略化することが可能となるので、誘導加熱調理器に限らず誘導加熱を原理とした熱源を複数備える機器全般の用途にも適用できる。
【符号の説明】
【００５６】
１  トッププレート
２ａ、２ｂ  加熱コイル
３ａ、３ｂ  インバータ
４  電源電流検知回路
５ａ、５ｂ  制御部
６  交流電源
７  整流回路
８ａ、８ｂ  被加熱物
【図１】
0005458903.tif 000002
【図２】
0005458903.tif 000003
【図３】
0005458903.tif 000004
【図４】
0005458903.tif 000005